(57)【要約】【課題】平坦な折畳み状態から簡単な操作によって立体的な拡張状態にすることができ、この拡張状態で机等の設置面に安定した状態で立設することができ、しかも内部の絵柄が前方から重層的且つ立体的に透視可能となるようにしたポップアップカードを提供する。【解決手段】透明シート５に設けられた前景面２の左右に折返線３ａ、３ｂを介して中景面４ａ、４ｂが形成され、透明シートの一方の中景面に上部切込線６ａが設けられ、他方の中景面に下部切込線６ｂが設けられ、夫々の中景面が背面方向へ折り返されると共に、夫々の中景面の上部切込線と下部切込線とを互いに差し込むことによって夫々の中景面を交差した状態にし、さらに夫々の中景面の端部を背景シートで連結した構成により、前景面と夫々の中景面と背景シートとを平坦な折畳み状態から立体的な拡張状態にし、前景面と夫々の中景面と背景シートとに描かれた絵柄が前方から透視可能となるようにした。【選択図】図１
2008238542.tif 000002
【特許請求の範囲】
【請求項１】
透明シートに設けられた前景面の左端部と右端部の夫々に折返線を介して左右夫々の中景面が形成され、
該透明シートの一方の中景面における上辺の粗中央から上部切込線が設けられ、且つ他方の中景面における下辺の粗中央から下部切込線が設けられ、
夫々の中景面が前景面の左端部と右端部の折返線で背面方向へ折り返されると共に、
夫々の中景面の上部切込線と下部切込線とを互いに差し込むことによって夫々の中景面を交差した状態に結合し、さらに夫々の中景面の各端部を背景シートで連結した構成により、
前景面と夫々の中景面と背景シートとを平坦な折畳み状態から立体的な拡張状態にして、前景面と夫々の中景面と背景シートとに描かれた絵柄が前方から透視可能となるようにしたことを特徴とするポップアップカード。
【請求項２】
前記夫々の中景面の各端部に折返片が設けられ、
前記背景シートと書き込み可能に形成した背面カードとを貼り合わせると共に、
これらの背景シートと背面カードの夫々の左端部と右端部の合わせ面で前記夫々の中景面の各端部の折返片を挟んで貼り着けるようにしたことを特徴とする請求項１記載のポップアップカード。
【請求項３】
前記夫々の中景面の左端部と右端部に形成した延長片の夫々の先端を前記前景面の左端部と右端部の夫々の折返線に設けられた切開線に挿脱可能に差し込むことにより、
前景面と夫々の中景面と前記背景シートとの立体的な拡張状態を固定状態にすることを特徴とする請求項１又は２記載のポップアップカード。
【請求項４】
前記夫々の中景面の面内に形成した左右の切開線の夫々に中間シートの左右の端部を挿脱可能に差し込むようにしたことを特徴とする請求項１、２又は３記載のポップアップカード。
【発明の詳細な説明】
【技術分野】
【０００１】
本発明は、平坦に折り畳んだ状態から開くことによって複数の絵柄を立体的に透視可能となるように形成したポップアップカードに関する。
【背景技術】
【０００２】
従来のポップアップカードは、折り畳んだ状態のときは平坦であるが、これを開くと、中に仕組まれた複数の絵柄が立体的に展開されるように形成されているものである。
【０００３】
このようなポップアップカードは、展開状態のまま展示することによって、その立体的な絵柄を視覚的に楽しむことが可能とされているが、従来のポップアップカードは一般的に紙で作成され、その展開形状は全体的に崩れやすいものであった。
【０００４】
ここで、折り畳んだ状態から立体的に展開することができる従来のグリーティングカードとして特許文献１を参照する。この文献に記載された多層画を有するグリーティングカードは、背景画を透視可能な前景画透明シートと中景画透明シート、及びこれらの透明シートを保持する紙製額板とからなり、その紙製額板は、中央部に開口が設けられている方形の正面縁部と、正面縁部に底辺で連続して背面側へ折り曲げられている底部と、正面縁部の側辺に連続し背面側へ折り曲げられている背面部とが、一体に切り抜かれて組み立てられてなるものである。ところで、このグリーティングカードは、前景画透明シートと中景画透明シートとが単に立設された状態に保持されるものであり、展開した立設状態が不安定であって、前方の開口から見える内部の意匠性に関しても、従来のポップアップカードに見られるように単に重層的な配列表現に過ぎないものであった。
【０００５】
また、特許文献２に記載されている自動立体化フォトホルダーカードは、写真露出用の開口部を有する枠状の表装片と面状の裏装片をエンドレスに構成した外装部と、外装部よりも適度に短い幅寸法を持ち、幅方向一端部分のみが前記外装部の一側内端部に接続した露出用開口部つきの写真収納部と、該写真収納部の自由端を外装部の他側内端部に向けて付勢すべく一部が写真収納部に連結された弾性要素を含む引張り手段を備えたものであり、写真を保持しつつ、封筒等の被包体から取り出すだけで自動的に立体化し、テーブル等に立設して飾ることができるようにされたものである。ところが、この文献の構成は、フォトホルダーカードに関するものであり、枠状の表装片から内部に見えるものは写真収納部に収められた一枚の写真であって、複数の絵柄を多層に見ることができるものではない。
【特許文献１】実開平５−９９７８号公報
【特許文献２】実用新案登録第３０８４４６６号公報
【発明の開示】
【発明が解決しようとする課題】
【０００６】
本発明は、上記の事情に鑑みてなされたもので、平坦な折畳み状態から簡単な操作によって立体的な拡張状態にすることができ、この拡張状態で机等の設置面に安定した状態で立設することができ、しかも内部の絵柄が前方から重層的且つ立体的に透視可能となるようにしたポップアップカードを提供することを目的とする。
【課題を解決するための手段】
【０００７】
上記の目的を達成するために、本発明の請求項１のポップアップカードは、透明シートに設けられた前景面の左端部と右端部の夫々に折返線を介して左右夫々の中景面が形成され、該透明シートの一方の中景面における上辺の粗中央から上部切込線が設けられ、且つ他方の中景面における下辺の粗中央から下部切込線が設けられ、夫々の中景面が前景面の左端部と右端部の折返線で背面方向へ折り返されると共に、夫々の中景面の上部切込線と下部切込線とを互いに差し込むことによって夫々の中景面を交差した状態に結合し、さらに夫々の中景面の各端部を背景シートで連結した構成により、前景面と夫々の中景面と背景シートとを平坦な折畳み状態から立体的な拡張状態にすることを可能にすると共に、前景面と夫々の中景面と背景シートとに描かれた絵柄が前方から透視可能となるようにしたことを特徴とする。
【０００８】
また、本発明の請求項２のポップアップカードは、請求項１において、前記夫々の中景面の各端部に折返片が設けられ、前記背景シートと書き込み可能に形成した背面カードとを貼り合わせると共に、これらの背景シートと背面カードの夫々の左端部と右端部の合わせ面で前記夫々の中景面の各端部の折返片を挟んで貼り着けるようにしたことを特徴とする。
【０００９】
また、本発明の請求項３のポップアップカードは、請求項１又は２において、前記夫々の中景面の左端部と右端部に形成した延長片の夫々の先端を前記前景面の左端部と右端部の夫々の折返線に設けられた切開線に挿脱可能に差し込むことにより、前景面と夫々の中景面と前記背景シートとの立体的な拡張状態を固定状態にすることを特徴とする。
【００１０】
さらに、本発明の請求項４のポップアップカードは、請求項１、２又は３において、前記夫々の中景面の面内に形成した左右の切開線の夫々に中間シートの左右の端部を挿脱可能に差し込むようにしたことを特徴とする。
【発明の効果】
【００１１】
上記の構成からなる本発明のポップアップカードによれば、前景面と背景カードとを連結する左右夫々の中景面が背面方向へ折り返されると共に、夫々の中景面の上部切込線と下部切込線とを互いに差し込むことによって各中景面を交差した状態にしてあるため、前景面と夫々の中景面と背景シートとを平坦な折畳み状態から蛇腹状に引き伸ばすだけの簡単な操作で立体的な拡張状態にすることが可能となる。従って、平坦に折り畳まれた状態においては封筒の内部に収納したり、整理して積み重ねたりすることができる。また、このポップアップカードを立体状に拡張した状態においては、机等の設置面上に安定した状態で立てることができ、この状態で前景面と夫々の中景面と背景シートとに描かれた絵柄を前方から重層的且つ立体的に透視することができるため、従来の単純な構造のものに比べてより複雑で興味深い表現をすることが可能となる。
【００１２】
また、本発明において、上記の左右の中景面の両端を背景シートで連結する形態として、上記の絵柄が表現された背景シートと書き込みを可能に形成した背面カードとを貼り合わせると共に、これらの背景シートと背面カードの夫々の左端部と右端部の合わせ面で夫々の中景面の各端部の折返片を挟んで貼り着ける構成とすることにより、ポップアップカードの背面カードにメッセージ等を記入することができるグリーティングカードとして使用することが可能となる。
【００１３】
また、本発明において、夫々の中景面の左端部と右端部に形成した延長片の夫々の先端を前景面の左端部と右端部の夫々の折返線に設けられた切開線に挿脱可能に差し込むことにより、前景面と夫々の中景面と背景シートとを立体的に拡張した状態を固定状態にすることができ、上記のように机等の平面台上に立てた状態を安定して維持することが可能となる。
【００１４】
さらに、本発明において、夫々の中景面の面内に形成した左右の切開線の夫々に中間シートの左右の端部を挿脱可能に差し込むようにしたことによって、上記のように前景面と左右の中景面と背景シートとに描かれた絵柄のほかに、中間シートに描かれた絵柄を加えて、前方からより重層的且つ立体的に透視することが可能となる。
【発明を実施するための最良の形態】
【００１５】
以下、本発明の実施例について図面を参照しながら説明する。
【実施例１】
【００１６】
本実施例のポップアップカード１は、図１又は図３に示すように、透明シート５に設けられた前景面２の左端部と右端部の夫々に折返線３ａ、３ｂを介して左右夫々の中景面４ａ、４ｂが形成され、一方の中景面４ａにおける上辺の粗中央から上部切込線６ａが設けられ、且つ他方の中景面４ｂにおける下辺の粗中央から下部切込線６ｂが設けられ、夫々の中景面４ａ、４ｂが前景面２の左端部と右端部の折返線３ａ、３ｂで背面方向へ折り返されると共に、夫々の中景面４ａ、４ｂの上部切込線６ａと下部切込線６ｂとを互いに差し込むことによって夫々の中景面４ａ、４ｂを交差した状態に結合し、さらに夫々の中景面４ａ、４ｂの各端部を背景シート７で連結した構成により、前景面２と夫々の中景面４ａ、４ｂと背景シート７とを平坦な折畳み状態から立体的な拡張状態にして、前景面２と夫々の中景面４ａ、４ｂと背景シート７とに描かれた絵柄が前方から重層的且つ立体的に透視可能となるようにしたものである。
【００１７】
本実施例のポップアップカード１に用いる材料は、図３に示すように、前景面２の左端部と右端部の夫々に折返線３ａ、３ｂを介して一対の中景面４ａ、４ｂを横方向に連続的に形成してなる透明シート５と、中景面４ａ、４ｂの両端を連結する背景シート７とを有し、さらに背景シート７の背面に貼り合わせる背面カード８と、中景面４ａ、４ｂの面内に形成された切開線９ａ、９ｂに差し込む中間シート１０とを有するものである。
【００１８】
これらの材料についてより詳細に述べると、透明シート５は、可撓性及び弾性を有する透明の合成樹脂製シートから成り、中央に矩形の前景面２が設けられ、この前景面２の左右に折り曲げ可能に形成されてなる折返線３ａ、３ｂを介して左右の中景面４ａ、４ｂが設けられている。また、このように前景面２と左右の中景面４ａ、４ｂとの境界に設けられた折返線３ａ、３ｂの夫々の略中間に沿って所定の上下幅を有して切開線１１ａ、１１ｂが設けられ、夫々の切開線１１ａ、１１ｂに後述する延長片１２ａ、１２ｂを挿脱可能に差し込むことが可能とされている。
【００１９】
また、上記の左右夫々の中景面４ａ、４ｂは前景面２と略同様の形状からなり、一方の中景面（例えば、図３の左側の中景面４ａ）の上辺における粗中央から下方向へ向けて略中間の高さまで切開された上部切込線６ａが設けられ、他方の中景面（例えば、図３の右側の中景面４ｂ）の下辺における粗中央から上方向へ向けて略中間の高さまで切開された下部切込線６ｂが設けられている。また、左右夫々の中景面４ａ、４ｂの面内には縦方向に所定幅を有して切開線９ａ、９ｂが形成され、中間シート１０の左右の端部に形成された差込片１３ａ、１３ｂを挿脱可能に差し込むことが可能とされている。
【００２０】
また、左右夫々の中景面４ａ、４ｂの各端部に設けられた折返線１５ａ、１５ｂを介して折返片１６ａ、１６ｂが形成され、各折返片１６ａ、１６ｂの略中間には横方向に延長片１２ａ、１２ｂが形成されている。夫々の延長片１２ａ、１２ｂの先部には折返し可能に折返片１７ａ、１７ｂが形成され、上記のように前景面２の左右に設けられた切開線１１ａ、１１ｂに延長片１２ａ、１２ｂを差し込む際、この延長片１２ａ、１２ｂの先部の折返片１７ａ、１７ｂを折り返した状態（図１参照）で切開線１１ａ、１１ｂに差し込んで係止することができる。
【００２１】
また、中間シート１０は、左右の両端に細径部１４ａ、１４ｂとそれよりも大径の差込片１３ａ、１３ｂが形成され、この中間シート１０はその面内に描かれる図柄の内容に応じて自由な形状として良いが、図５（ａ）に示すように、左右の中景面４ａ、４ｂを交差した状態にし、中間シート１０の各端部の差込片１３ａ、１３ｂを左右の中景面４ａ、４ｂの各切開線９ａ、９ｂに差し込んだ係止状態にすることができる長さを有するものとされている。なお、前景面２と左右の中景面４ａ、４ｂと背景シート７とを立体状の拡張状態（図５(ａ)の状態）にしたり、平坦に潰した状態（図５(ｂ)の状態）にする際、中間シート１０の左右の細径部１４ａ、１４ｂが左右の中景面４ａ、４ｂの各切開線９ａ、９ｂに挿通された状態で、各切開線９ａ、９ｂ内を移動することが可能とされている。
【００２２】
上記の構成において、前景面２と左右夫々の中景面４ａ、４ｂと背景シート７と中間シート１０とには、本実施例のポップアップカード１に意図される意匠性に応じて適宜の図柄を描くことが可能である。なお、本実施例においては、説明の便宜上、図３に示すように、前景面２に「ＡＡ」の文字、左右夫々の中景面４ａ、４ｂに「Ｂ」の文字と「Ｃ」の文字、背景シート７の前面側に「ＤＤ」の文字、中間シート１０に「Ｅ」の文字を描いてあるが、上記のように、ポップアップカード１の趣向に応じてアニメーションのキャラクター等の絵柄や風景等を描くようにしてもよい。また、前景面２の面内の周囲には画面枠１９が描かれた状態とされている。
【００２３】
なお、左右夫々の中景面４ａ、４ｂは、図４（ａ）及び(ｂ)に示すように夫々の中景面４ａ、４ｂを左右の折返線３ａ、３ｂで背面方向に折り返した状態で夫々の上部切込線６ａと下部切込線６ｂとを互いに差し込むことによって夫々の中景面４ａ、４ｂを交差した状態に結合し、この状態で、図４（ａ）の夫々の中景面４ａ、４ｂの裏面が図１に示す前面側に表示されるため、各中景面４ａ、４ｂに描かれる図柄は、夫々の中景面４ａ、４ｂの裏面に「Ｂ」「Ｃ」の文字を逆の形状に描く必要がある。
【００２４】
上記のように構成されたポップアップカード１を組み立てるには、図４（ａ）に示すように、前景面２の左右夫々の折返線３ａ、３ｂで左右夫々の中景面４ａ、４ｂを背面方向に折り返し、図４(ｂ)における２点鎖線の矢印で示すように各中景面４ａ、４ｂの上部切込線６ａと下部切込線６ｂとを互いに差し込むことによって、図１又は図６（この図は背面方向から見た状態を示す）のように各中景面４ａ、４ｂが交差した結合状態にする。さらに背景シート７と背面カード８とを両面接着材１８等を用いて貼着させると共に、これらの背景シート７と背面カード８との左右端部の合わせ面で各中景面４ａ、４ｂの各端部の折返片１６ａ、１６ｂを挟んで貼り付ける。なお、このとき延長片１２ａ、１２ｂは折返片１６ａ、１６ｂから起立させた状態にして、背景シート７と背面カード８ｂとによる貼り合わせの邪魔にならないようにする。
【００２５】
このような組み立て方法によって、本実施例のポップアップカード１は前景面２と左右の中景面４ａ、４ｂと背景シート７（背景カード８を含む）とを平坦な折畳み状態から蛇腹状に引き伸ばすだけの簡単な操作で立体的な拡張状態にすることが可能となる。また、このように立体的に拡張した状態を前方から見ると、図１に示すように、前景面２が手前になるように配置され、この前景面２の背後に左右夫々の中景面４ａ、４ｂが互いに交差し、さらにその背後に背景シート７が配置され、前景面２と左右の中景面４ａ、４ｂとは透明シート５から形成されると共に、これらの前景面２と左右の中景面４ａ、４ｂと背景シート７とには絵柄が描かれているため、夫々の絵柄を重層的且つ立体的に透視することが可能となる。
【００２６】
また、図１又は図５（ａ）に示すように、左右夫々の中景面４ａ、４ｂの各端部に形成された延長片１２ａ、１２ｂの先端の折曲変１７ａ、１７ｂを前景面２の左右の折返線３ａ、３ｂに設けられた切開線１１ａ、１１ｂに挿脱可能に差し込むことにより、前景面２と左右夫々の中景面４ａ、４ｂと背景シート７との立体的な拡張状態を固定状態にすることが可能となる。
【００２７】
さらに、このポップアップカード１を図５(ｂ)に示すように潰す際には、左右の延長片１２ａ、１２ｂを左右の切開線１１ａ、１１ｂから抜き出して平坦状態の方向に潰すと、図７に示すように略同形状を有する前景面２と左右夫々の中景面４ａ、４ｂとが合致するように全体が平坦となるため、これを不図示の封筒の内部に収納したり、積み重ねて整理したりするのに適するものとなる。
【００２８】
また、図２に示すように、本実施例のポップアップカード１の背面には背面カード８が設けられているため、この背面カード８を紙製等で形成し、これにメッセージ等を記載できる欄を設けることによって、本実施例のポップアップカード１をグリーティングカードとして使用することが可能となる。
【産業上の利用可能性】
【００２９】
本発明のポップアップカードは、平坦な折畳み状態から簡単な操作によって立体的な拡張状態にすることができ、この拡張状態で机等の設置面に安定した状態で立設することができ、しかも内部の絵柄が前方から重層的且つ立体的に透視可能となるようにしたポップアップカードとして利用することが可能である。
【図面の簡単な説明】
【００３０】
【図１】本発明による実施例のポップアップカードを立体的に展開した状態を前面方向から見た斜視図である。
【図２】本発明による実施例のポップアップカードを立体的に展開した状態を背面方向から見た斜視図である。
【図３】本発明による実施例のポップアップカードに使用する個々の材料を展開した状態を示す平面図である。
【図４】（ａ）は本発明による実施例のポップアップカードに使用する透明シートを展開した状態を示す平面図であり、(ｂ)はその透明シートの左右夫々の中景面を背面方向に折り返している状況を示す斜視図である。
【図５】（ａ）は本発明による実施例のポップアップカードの立体的に拡張した状態を示す上端面の概略図であり、(ｂ)はそのポップアップカードを平坦に潰している状態を示す上端面の概略図である。
【図６】本発明による実施例のポップアップカードの透明シートを立体的に展開した状態を背面方向から見た斜視図であり、背景シートと背面カードとを貼り付ける前の状態を示す。
【図７】本発明による実施例のポップアップカードを略平状に潰した状態を示す斜視図である。
【符号の説明】
【００３１】
１  ポップアップカード
２  前景面
３ａ、３ｂ  折返線
４ａ、４ｂ  中景面
５  透明シート
５  上部切込線
６  下部切込線
７  背景シート
８  背面カード
９ａ、９ｂ  切開線
１０  中間シート
１１ａ、１１ｂ  切開線
１２ａ、１２ｂ  延長片
１３ａ、１３ｂ  差込片
１４ａ、１４ｂ  細径部
１５ａ、１５ｂ  折返線
１６ａ、１６ｂ  折返片
１７ａ、１７ｂ  折返片
１８  両面接着材
１９  画面枠
【図１】
2008238542.tif 000003
【図２】
2008238542.tif 000004
【図３】
2008238542.tif 000005
【図４】
2008238542.tif 000006
【図５】
2008238542.tif 000007
【図６】
2008238542.tif 000008
【図７】
2008238542.tif 000009